(57)【要約】【課題】太陽光発電設備の出力の不確実さを考慮して、複数の蓄電池から系統内余剰電力を充電するための蓄電池容量を過不足なく確保できる蓄電池運用装置を提供することである。【解決手段】利用可能蓄電池把握手段１２は、余剰電力前日予測手段１１で予測された予測余剰電力を充電可能な複数の蓄電池を把握し、利用可能蓄電池グレード割付手段１４は、グレード分け基準記憶部１５に予め記憶されたグレード分け基準に基づいて、充電可能な複数の蓄電池をいずれかのグレードに割り付け、利用事前告知手段１６は、利用可能蓄電池グレード割付手段１４でグレードが割り付けされた蓄電池に対し、利用確率の高いグレード順に事前に蓄電時間帯を告知する。【選択図】  図１
2012060775.tif 000002
【特許請求の範囲】
【請求項１】
電力系統の翌日の予測ベース供給力と翌日の太陽光発電設備の予測出力との和から翌日の予測電力需要を減算して翌日の予測余剰電力の発生確率分布を前日に求める余剰電力前日予測手段と、
予め予測余剰電力の発生確率に対応する蓄電池の利用確率に応じた蓄電池のグレード分け基準を記憶したグレード分け基準記憶部と、
前記電力系統に接続された複数の蓄電池の中から前記余剰電力前日予測手段で予測された予測余剰電力を充電可能な複数の蓄電池を探し出し利用可能性の高さを把握する利用可能蓄電池把握手段と、
前記利用可能蓄電池把握手段で把握された蓄電池の利用可能性と前記グレード分け基準記憶部に記憶されたグレード分け基準とに基づいて充電可能な複数の蓄電池をいずれかのグレードに割り付ける利用可能蓄電池グレード割付手段と、
前記利用可能蓄電池グレード割付手段でグレードが割り付けされた蓄電池に対し前記利用確率の高いグレード順に事前に蓄電池の利用確率と蓄電時間帯を告知する利用事前告知手段とを備えたことを特徴とする蓄電池運用装置。
【請求項２】
前記利用事前告知手段は、通信手段を有した蓄電池に対して、前記蓄電時間帯を告知することに代えまたは追加して、前記通信手段を介した遠隔操作で蓄電スケジュールを更新することを特徴とする請求項１に記載の蓄電池運用装置。
【請求項３】
電力系統の当日の予測ベース供給力と当日の太陽光発電設備の予測出力との和から当日の予測電力需要を減算して当日の予測余剰電力を当日に求める余剰電力当日予測手段と、
前記余剰電力当日予測手段で求めた予測余剰電力が前記余剰電力前日予測手段で求めた予測余剰電力より大きいときは、利用確率の低いグレードに分類された蓄電池に対し、必要に応じて蓄電時間帯を緊急告知し、前記余剰電力当日予測手段で求めた予測余剰電力が前記余剰電力前日予測手段で求めた予測余剰電力より小さいときは、利用不要となった利用確率の高いグレードに分類された蓄電池に対し蓄電指令解除を緊急告知する利用変更通知手段とを備えたことを特徴とする請求項１または２に記載の蓄電池運用装置。
【請求項４】
前記利用変更通知手段は、通信手段を有した蓄電池に対して、前記蓄電時間帯または前記蓄電指令解除を緊急告知することに代えまたは追加して、前記通信手段を介した遠隔操作で蓄電スケジュールを修正することを特徴とする請求項３に記載の蓄電池運用装置。
【発明の詳細な説明】
【技術分野】
【０００１】
本発明は、電力系統に発生した余剰電力を蓄電池で吸収できるように電力系統に配置された蓄電池を運用する蓄電池運用装置に関する。
【背景技術】
【０００２】
近年、太陽光発電設備ＰＶの設置が一般家庭に広まってきているが、太陽光発電設備が大量に導入されると、電力需要の少ない時期（軽負荷期）にはベース供給力と太陽光発電設備の合計発電量が電力需要を上回り、電力系統全体で余剰電力（系統内余剰電力）が発生する可能性がある。特に、電力需要の少ない休日などの特異日には系統内余剰電力が発生する可能性が高まる。
【０００３】
図６は特異日の電力需要曲線及び電力供給曲線の一例を示すグラフである。図６に示すように、電力会社からの電力供給は原子力発電、流込式水力発電及び火力発電の最低出力曲線Ｓ１０でベース供給を担い、火力発電での最低出力曲線Ｓ１０を超えた運転や揚水発電所における揚水発電で負荷変動に対応している。火力発電は出力を保持するための最低出力曲線Ｓ１０があるので、例えば、夜間（２３時〜７時）において揚水発電所の水を上池に汲み上げ、火力発電の最低出力を保つようにしている。
【０００４】
近年においては太陽光発電設備による太陽光発電が導入され、太陽光発電による供給電力も増加している。この太陽光発電は天候により出力が変動し出力調整が難しいので、通常日においては電力会社は揚水発電や火力発電で出力調整を行っている。
【０００５】
一方、特異日（例えば、休日）の電力需要は平日の場合より減少するので、図６に示すように、その電力需要曲線Ｓ１１が電力供給曲線Ｓ１２より下回ることがある。そうすると、太陽光発電の電力が系統内余剰電力として発生する。図６では９時４５分〜１９時において、系統内余剰電力が発生した場合を示している。
【０００６】
この系統内余剰電力分を有効利用するためには、電力系統に接続された蓄電池を活用することが考えられる。この場合の蓄電池としては、ＮａＳ電池（ナトリウム硫黄電池）、リチウムイオン電池、ニッケル水素電池などを用いることが考えられており、蓄電池には電力会社所有の蓄電池や需要家所有の蓄電池がある。需要家所有の蓄電池の利用に関しては、需要家内余剰電力（太陽電池発電量−需要家電力需要）を蓄電池に蓄電するシステムが提案されている（例えば、特許文献１参照）。
【先行技術文献】
【特許文献】
【０００７】
【特許文献１】特開２００９−２８４５８６号公報
【発明の概要】
【発明が解決しようとする課題】
【０００８】
しかし、特許文献１のものは需要家所有の比較的小容量の蓄電池を用いて需要家内の需給調整を行うものであり、大量の系統内余剰電力に対応することはできない。さらに、需要家によって太陽光発電出力にばらつきがあるため、余剰電力の発生具合はまちまちであり、全ての蓄電池が十分に活用されるとは限らない。太陽光発電大量導入時の系統内余剰電力を充電するためには、電力系統に接続された複数の蓄電池を十分活用し充電容量を確保する必要がある。
【０００９】
また、太陽光発電設備の出力は不確実であるため、余剰電力量の予測値と発生値とにはズレが生じる。予測値よりも発生値が下回った場合には、予測値をベースに確保しておいた蓄電池容量の一部が使われないので、蓄電池容量を提供した蓄電池の所有者にとって不利益となる。
【００１０】
逆に、予測値よりも発生値が上回った場合には、蓄電池容量が足りなくなり、その場合には、太陽光発電設備の出力抑制が必要となる。その際は、太陽光発電設備の所有者にとって不利益となる。
【００１１】
本発明の目的は、太陽光発電設備の出力の不確実さを考慮して系統内余剰電力を充電するための蓄電池容量を、複数の蓄電池から過不足なく確保できる蓄電池運用装置を提供することである。
【課題を解決するための手段】
【００１２】
請求項１の発明に係る蓄電池運用装置は、電力系統の翌日の予測ベース供給力と翌日の太陽光発電設備の予測出力との和から翌日の予測電力需要を減算して翌日の予測余剰電力の発生確率分布を前日に求める余剰電力前日予測手段と、予め予測余剰電力の発生確率に対応する蓄電池の利用確率に応じた蓄電池のグレード分け基準を記憶したグレード分け基準記憶部と、前記電力系統に接続された複数の蓄電池の中から前記余剰電力前日予測手段で予測された予測余剰電力を充電可能な複数の蓄電池を探し出し利用可能性の高さを把握する利用可能蓄電池把握手段と、前記利用可能蓄電池把握手段で把握された蓄電池の利用可能性と前記グレード分け基準記憶部に記憶されたグレード分け基準とに基づいて充電可能な複数の蓄電池をいずれかのグレードに割り付ける利用可能蓄電池グレード割付手段と、前記利用可能蓄電池グレード割付手段でグレードが割り付けされた蓄電池に対し前記利用確率の高いグレード順に事前に蓄電池の利用確率と蓄電時間帯を告知する利用事前告知手段とを備えたことを特徴とする。
【００１３】
請求項２の発明に係る蓄電池運用装置は、請求項１の発明において、前記利用事前告知手段は、通信手段を有した蓄電池に対して、前記蓄電時間帯を告知することに代えまたは追加して、前記通信手段を介した遠隔操作で蓄電スケジュールを更新することを特徴とする。
【００１４】
請求項３の発明に係る蓄電池運用装置は、請求項１または２の発明において、電力系統の当日の予測ベース供給力と当日の太陽光発電設備の予測出力との和から当日の予測電力需要を減算して当日の予測余剰電力を当日に求める余剰電力当日予測手段と、前記余剰電力当日予測手段で求めた予測余剰電力が前記余剰電力前日予測手段で求めた予測余剰電力より大きいときは、利用確率の低いグレードに分類された蓄電池に対し、必要に応じて蓄電時間帯を緊急告知し、前記余剰電力当日予測手段で求めた予測余剰電力が前記余剰電力前日予測手段で求めた予測余剰電力より小さいときは、利用不要となった利用確率の高いグレードに分類された蓄電池に対し蓄電指令解除を緊急告知する利用変更通知手段とを備えたことを特徴とする。
【００１５】
請求項４の発明に係る蓄電池運用装置は、請求項３の発明において、前記利用変更通知手段は、通信手段を有した蓄電池に対して、前記蓄電時間帯または前記蓄電指令解除を緊急告知することに代えまたは追加して、前記通信手段を介した遠隔操作で蓄電スケジュールを修正することを特徴とする。
【発明の効果】
【００１６】
請求項１によれば、前日に予測した予測余剰電力及び予め定められた複数の蓄電池の利用確率のグレード分け基準に基づいて、充電可能な複数の蓄電池をいずれかのグレードに割り付け、このグレードが割り付けされた蓄電池に対し、利用確率の高いグレード順に事前に蓄電池の利用確率と蓄電時間帯を告知するので、蓄電池所有者からすると、電力会社への蓄電池容量の提供の予測が立ち易い。これにより蓄電池の利用時及び非利用時の納得性も高まる。
【００１７】
請求項２の発明によれば、遠隔操作可能な蓄電池に対して蓄電スケジュールを遠隔操作で更新するので、電力会社からすると太陽光発電設備の出力が不確実であっても、系統内余剰電力を充電するための必要十分な蓄電池容量を過不足なく調達できる。
【００１８】
請求項３の発明によれば、当日予測の予測余剰電力を求める余剰電力当日予測手段を設け、当日予測の予測余剰電力が前日予測の予測余剰電力より大きいときは、利用確率の低いグレードに分類された蓄電池に対し必要に応じて蓄電時間帯を緊急告知し、当日予測の予測余剰電力が前日予測の予測余剰電力より小さいときは、利用不要となった利用確率の高いグレードに分類された蓄電池に対し蓄電指令解除を緊急告知するので、蓄電池所有者からすると、電力会社による自己の蓄電池の使用状況または非使用状況を迅速に把握できる。
【００１９】
請求項４の発明によれば、遠隔操作可能な蓄電池に対して蓄電スケジュールを遠隔操作で更新するので、電力会社からすると太陽光発電設備の出力が不確実であっても、系統内余剰電力を充電するために必要十分な蓄電池容量を過不足なく調達できる。
【図面の簡単な説明】
【００２０】
【図１】本発明の実施形態に係る蓄電池運用装置の一例を示す構成図。
【図２】本発明の実施形態における蓄電池情報記憶部に予め記憶された蓄電池ｉの蓄電池情報の説明図。
【図３】本発明の実施形態における利用可能蓄電池把握手段で探し出された利用可能な蓄電池情報の説明図。
【図４】本発明の実施形態におけるグレード分け基準記憶部に記憶されたグレード分け基準の説明図。
【図５】本発明の実施形態に係る蓄電池運用装置の他の一例を示す構成図。
【図６】特異日の電力需要曲線及び電力供給曲線の一例を示すグラフ。
【発明を実施するための形態】
【００２１】
以下、本発明の実施形態を説明する。図１は本発明の実施形態に係る蓄電池運用装置の一例を示す構成図である。
【００２２】
余剰電力前日予測手段１１は、図示省略の入力装置から翌日の予測余剰電力を算出するために必要な前日算出条件を入力する。前日算出条件は、例えば、翌日の天気予報、暦の曜日や日にち、発電所の発電可能な発電機の容量などである。
【００２３】
余剰電力前日予測手段１１は前日算出条件を入力すると、入力した前日算出条件に基づいて、まず、翌日の太陽光発電設備の予測出力Ｐpv、翌日の予測電力需要Ｐａ、翌日のベース供給力Ｐｂを求める。
【００２４】
太陽光発電設備の予測出力Ｐpvは天候に左右されるので、天気予報の特に日射時間を基に算出される。翌日の予測電力需要Ｐａは暦の曜日や日にちによって異なるので、過去の実績値などを参照して算出する。また、翌日のベース供給力Ｐｂは、発電所の発電可能な発電機の容量や過去の実績値などを基に算出される。そして、翌日の予測余剰電力Ｐｃは、（１）式で算出する。
【００２５】
［数１］
Ｐｃ＝Ｐｂ＋Ｐpv−Ｐａ  …（１）
ここで、太陽光発電設備の予測出力Ｐpv、翌日の予測電力需要Ｐａは確率分布として表される。そのため、（１）式から算出される翌日の予測余剰電力Ｐｃも発生確率分布の形で算出される。
【００２６】
余剰電力前日予測手段１１で算出された翌日の予測余剰電力Ｐｃは、利用可能蓄電池把握手段１２に入力される。利用可能蓄電池把握手段１２は、電力系統に接続された複数の蓄電池の中から余剰電力前日予測手段１１で予測された予測余剰電力Ｐｃを充電可能な複数の蓄電池を把握するものである。
【００２７】
利用可能蓄電池把握手段１２は、蓄電池情報記憶部１３から電力系統に接続された複数の蓄電池の蓄電池情報を入力し、余剰電力前日予測手段１１で予測された予測余剰電力Ｐｃを充電可能な複数の蓄電池を探し出す。
【００２８】
そして、利用可能蓄電池把握手段１２で探し出された利用可能な蓄電池は、利用可能蓄電池グレード割付手段１４に出力される。利用可能蓄電池グレード割付手段１４は、利用可能蓄電池把握手段１２で把握された充電可能な複数の蓄電池をグレード分けするものであり、グレード分け基準記憶部１５に予め記憶されたグレード分け基準に基づいて、利用可能蓄電池把握手段１２で把握された充電可能な各々の蓄電池をいずれかのグレードに割り付ける。
【００２９】
利用可能蓄電池グレード割付手段１４で割り付けされたグレード情報は、蓄電池情報記憶部１３に記憶された蓄電池情報のグレード欄に格納されるとともに、利用事前告知手段１６に出力される。
【００３０】
利用事前告知手段１６は、利用可能蓄電池グレード割付手段１４でグレードが割り付けされた蓄電池に対し、利用確率の高いグレード順に、事前にその蓄電池の利用確率と蓄電時間帯を告知する。蓄電池所有者に蓄電池の利用確率を事前に告知することで、蓄電池利用時・非利用時の納得性を高めることができる。
【００３１】
図２は、蓄電池情報記憶部１３に予め記憶された蓄電池ｉの蓄電池情報の説明図である。電力系統に接続された各々の蓄電池ｉは、蓄電池情報として、所有者、通信手段の有無、電力系統での配置位置、利用可能時間帯、残容量、定格出力、信頼度、グレードなどが記憶されている。グレードには、利用可能蓄電池グレード割付手段１４により割り付けられたグレードが記憶される。
【００３２】
利用可能蓄電池把握手段１２は、まず、蓄電池情報記憶部１３に予め記憶された蓄電池ｉの蓄電池情報の中から、余剰電力前日予測手段１１で予測された予測余剰電力Ｐｃの発生時間帯に利用可能な蓄電池を探し出す。これは蓄電池情報の利用可能時間帯を参照して行う。そして、その中から残容量を参照し充電が可能な蓄電池を探し出す。このようにして、利用可能蓄電池把握手段１２で探し出された利用可能な蓄電池は、利用可能蓄電池グレード割付手段１４に出力される。
【００３３】
利用可能蓄電池把握手段１２では、蓄電池の利用可能性の高さについても評価し、その結果も利用可能蓄電池グレード割付手段１４に出力する。利用可能性は、充電可能な複数の蓄電池の中から、蓄電池情報の項目（所有者、通信手段の有無、電力系統での配置位置、利用可能時間帯、残容量、定格出力、信頼度）を参照して評価する。
【００３４】
図３は、利用可能蓄電池把握手段１２で探し出された利用可能な蓄電池情報の説明図であり、図３（ａ）は蓄電池の利用可能性が高と評価された蓄電池ｊの蓄電池情報の説明図、図３（ｂ）は蓄電池の利用可能性が低と評価された蓄電池ｋの蓄電池情報の説明図である。
【００３５】
図３（ａ）に示すように、蓄電池の所有者が電力会社である場合には、電力会社の意向に沿って運用できるので評価は高い。また、通信手段の有無については通信手段を有している場合の方が評価が高い。これは、系統運用者との通信が容易であり、蓄電池の遠隔操作も可能であるからである。蓄電池の配置位置は太陽光発電設備が接続された配電線に接続されている蓄電池の評価が高い。
【００３６】
利用可能時間帯は、系統内余剰電力が発生する時間帯に蓄電池を使用できる場合が評価が高い。図３（ａ）に示すように、利用可能時間帯が９時〜２０時と、系統内余剰電力が発生する時間帯（９時４５分〜１９時）のすべての時間帯に亘って蓄電池を使用できるので評価が高い。残容量や定格出力は充電できる電力量に相当するので大きい方が評価が高い。また、使用したいときに必ず使用できる信頼度の高い蓄電池の評価は高い。逆に、使用できる可能性があっても、その蓄電池が別の用途に使用され、過去の実績から実際に使用できなかった場合には信頼度の評価は低くなる。
【００３７】
図３（ａ）の蓄電池ｊはこれら蓄電池情報のすべての項目の評価が高いので、利用可能性がかなり高いと評価する。なお、実際には、これらの項目のすべてを満たさない場合であっても、ほぼ間違いなく使用できる蓄電池に対しては利用可能性が高いと評価できる。
【００３８】
次に、図３（ｂ）に示すように利用可能性が低いと評価された蓄電池ｋは、図３（ａ）に示した蓄電池ｊとは反対に、蓄電池情報の各項目（所有者、通信手段の有無、電力系統での配置位置、利用可能時間帯、残容量、定格出力、信頼度）の評価が低いものである。例えば、所有者は電力会社以外の需要家であり、通信手段を有してなく、蓄電池の設置位置が太陽光発電設備が接続された配電線でなく、利用時間も限られた時間帯であり、定格出力や残容量が小さく、信頼度も低い蓄電池である。
【００３９】
次に、グレード分け基準記憶部１５に記憶されたグレード分け基準について説明する。図４はグレード分け基準記憶部１５に記憶されたグレード分け基準の説明図である。グレード分け基準記憶部１５には、予め予測余剰電力の発生確率に対応する蓄電池の利用確率に応じた蓄電池のグレード分け基準が記憶されている。図４の下図は、余剰電力前日予測手段１１で求めた予測余剰電力Ｐｃの発生確率分布であり、図４の上図は、同発生確率分布から求められた蓄電池の利用確率分布である。
【００４０】
図４では、予測余剰電力Ｐｃの確率分布が正規分布に近似した特性として表された場合を示している。予測余剰電力Ｐｃにおける蓄電池の利用確率は、予測余剰電力がある値以上となる累積確率として求められる。例えば、予測余剰電力ＰｃがＰｃαであったとすると、予測余剰電力ＰｃがＰｃαとなる確率はＲｃαである。蓄電池の利用確率は、予測余剰電力ＰｃがＰｃα以上となる累積確率となるので、この場合には０．９５（９５％）となる。
【００４１】
蓄電池の利用のグレードは、Ａ：高（ほぼ間違いなく使う）、Ｂ：中（たぶん使う）、Ｃ：低（もしかしたら使う）、Ｄ：極低（万一の際に使う）の４段階に分ける。グレードは予め定められた蓄電池の利用確率の閾値に基づいて分けられる。例えば、図４では、グレードＡは蓄電池の利用確率が０．９以上の範囲、グレードＢは同０．５以上０．９未満、グレードＣは同０．１９以上０．５未満、グレードＤは同０．１９未満となるように設定している。グレードは４段階に分けるだけでなく、３段階や２段階に分けてもよい。
【００４２】
例えば、予測余剰電力Ｐｃが０〜Ｐｃ１の範囲であるときは、蓄電池の利用確率が高いグレードＡの蓄電池のみを使用し、予測余剰電力ＰｃがＰｃ１〜Ｐｃ２の範囲であるときは、グレードＡの蓄電池に加え、蓄電池の利用確率がやや高いグレードＢの蓄電池までを使用し、予測余剰電力ＰｃがＰｃ２〜Ｐｃ３の範囲であるときは、グレードＡ、Ｂの蓄電池に加え、蓄電池の利用確率が低いグレードＣの蓄電池までを使用し、予測余剰電力ＰｃがＰｃ３以上であるときは、グレードＡ、Ｂ、Ｃの蓄電池に加え、蓄電池の利用確率が極低のグレードＤの蓄電池までを使用する。
【００４３】
利用可能蓄電池グレード割付手段１４は、このようなグレード分け基準に基づき、利用可能蓄電池把握手段１２で把握された充電可能な複数の蓄電池をグレード分けする。
【００４４】
まず、利用可能蓄電池把握手段１２で把握された充電可能な複数の蓄電池を利用可能性の順に列挙する。
【００４５】
次に、Ｐｃ１に相当する充電容量を確保するために必要な蓄電池を利用可能性の高い方から選定し、グレードＡと分類する。残った蓄電池の中から、Ｐｃ２とＰｃ１の差に相当する充電容量を確保するために必要な蓄電池を利用可能性の高い方から選定し、グレードＢと分類する。
【００４６】
さらに、残った蓄電池の中から、Ｐｃ３とＰｃ２の差に相当する充電容量を確保するために必要な蓄電池を利用可能性の高い方から選定し、グレードＣと分類とする。最後に残った蓄電池はグレードＤと分類する。
【００４７】
利用可能蓄電池グレード割付手段１４で割り付けされたグレード情報は、利用事前告知手段１６に入力される。利用事前告知手段１６は、利用可能蓄電池グレード割付手段１４で割り付けされたグレード情報を入力すると、系統内余剰電力が発生する時間帯において、どの時間帯にどの蓄電池を組み合わせて充電させるかを決定する。そして、利用確率の高いグレード順に、その蓄電池に対してグレード（利用確率）と充電量、充電時間帯を告知する。
【００４８】
例えば、利用可能蓄電池グレード割付手段１４でグレードＡ、Ｂ、Ｃ、Ｄが割り付けられた場合には、まず、グレードＡが割り付けられた蓄電池の蓄電時間帯を決定し、次に、グレードＢが割り付けられた蓄電池の蓄電時間帯を決定し、以下同様に、グレードＣ、Ｄが割り付けられた蓄電池の蓄電時間帯を決定する。そして、グレードＡが割り付けられた蓄電池の所有者、グレードＢが割り付けられた蓄電池の所有者、グレードＣが割り付けられた蓄電池の所有者、グレードＤが割り付けられた蓄電池の所有者の順に蓄電時間帯を割り当てる。
【００４９】
この告知は、蓄電池が通信手段を有する場合には通信手段にて通知し、蓄電池が通信手段を有していない場合には、蓄電池所有者に別の通信手段で通知することになる。また、蓄電時間帯を告知することに代え、または追加して、蓄電池が通信手段を介した遠隔操作で蓄電スケジュールを更新するようにしてもよい。これにより、その蓄電池は、更新された蓄電スケジュールで制御され系統内余剰電力を充電できる。
【００５０】
以上の説明では、前日に、翌日の系統内余剰電力を予測するようにしたが、それに加え、当日に、当日の系統内余剰電力を予測し、前日に予測した系統内余剰電力と異なるときは、その相違に基づく告知内容を変更するようにしてもよい。図５は、その場合の本発明の実施形態に係る蓄電池運用装置の一例を示す構成図である。
【００５１】
図５の一例は、図１に示した一例に対し、余剰電力当日予測手段１７、利用前日情報記憶部１８、利用当日情報記憶部１９、比較手段２０、利用変更通知手段２１を追加して設けたものである。図１と同一要素には同一符号を付し重複する説明は省略する。
【００５２】
余剰電力当日予測手段１７は、図示省略の入力装置から当日の予測余剰電力を算出するために必要な当日算出条件を入力する。当日算出条件は、例えば、当日の天気予報、暦の曜日や日にち、発電所の発電可能な発電機の容量などである。余剰電力当日予測手段１７は当日算出条件を入力すると、余剰電力前日予想手段１１と同様に、入力した当日算出条件に基づいて、まず、当日の太陽光発電設備の予測出力Ｐpv’、当日の予測電力需要Ｐａ’、当日のベース供給力Ｐｂ’を求める。そして、当日の予測余剰電力Ｐｃ’を（２）式で算出する。
【００５３】
［数２］
Ｐｃ’＝Ｐｂ’＋Ｐpv’−Ｐａ’  …（２）
余剰電力当日予測手段１７で算出された当日の予測余剰電力Ｐｃ’は、利用可能蓄電池把握手段１２に入力されるとともに、利用当日情報記憶部１９に記憶される。利用可能蓄電池把握手段１２は、電力系統に接続された複数の蓄電池の中から余剰電力当日予測手段１７で予測された予測余剰電力Ｐｃ’を充電可能な複数の蓄電池を把握する。そして、利用可能蓄電池把握手段１２で把握された利用可能な蓄電池は、利用可能蓄電池グレード割付手段１４により複数の蓄電池をグレード分けされ、そのグレード情報は、蓄電池情報記憶部１３に格納されるとともに、利用当日情報記憶部１９に記憶される。これにより、利用当日情報記憶部１９には当日の予測余剰電力Ｐｃ’及び複数の蓄電池のグレード情報が記憶される。
【００５４】
一方、利用前日情報記憶部１８には、余剰電力前日予測手段１１で算出された予測余剰電力Ｐｃ、及びその予測余剰電力Ｐｃに基づいてグレード分けされたグレード情報が記憶されている。
【００５５】
比較手段２０は、利用前日情報記憶部１８に記憶された前日の予測余剰電力Ｐｃと、利用当日情報記憶部１９に記憶された当日の予測余剰電力Ｐｃ’とを比較する。そして、利用変更通知手段２１は、比較手段２０により、当日の予測余剰電力Ｐｃ’が前日の予測余剰電力Ｐｃより大きいと判断されたときは、当日に利用確率の低いグレードに分類された蓄電池に対し、必要に応じて利用の蓄電時間帯を緊急告知する。これにより、当日の予測余剰電力Ｐｃ’が前日の予測余剰電力Ｐｃより大きくなったときは、利用確率の低い蓄電池に対しても、利用する可能性があることを告知する。
【００５６】
一方、利用変更通知手段２１は、比較手段２０により、当日の予測余剰電力Ｐｃ’が前日の予測余剰電力Ｐｃより小さいと判断されたときは、利用不要となった利用確率の高いグレードに分類された蓄電池に対し蓄電指令解除を緊急告知する。これにより、当日の予測余剰電力Ｐｃ’が前日の予測余剰電力Ｐｃより小さくなったときは、利用確率の高い蓄電池に対して利用しないことになったことを告知する。また、利用事前告知手段１６により、蓄電池が通信手段を介して遠隔操作で蓄電スケジュールを更新している場合には、その蓄電スケジュールを変更することになる。
【００５７】
これにより、当日に利用する蓄電池が変更となった場合であっても、系統内余剰電力を充電するための必要十分な蓄電池容量を過不足なく調達できる。
【符号の説明】
【００５８】
１１…余剰電力前日予測手段、１２…利用可能蓄電池把握手段、１３…蓄電池情報記憶部、１４…利用可能蓄電池グレード割付手段、１５…ブレード分け基準記憶部、１６…利用事前告知手段、１７…余剰電力当日予測手段、１８…利用前日情報記憶部、１９…利用当日情報記憶部、２０…比較手段、２１…利用変更通知手段
【図１】
2012060775.tif 000003
【図２】
2012060775.tif 000004
【図３】
2012060775.tif 000005
【図４】
2012060775.tif 000006
【図５】
2012060775.tif 000007
【図６】
2012060775.tif 000008